(57)【要約】【課題】送風機の風量を増加させた場合でも吹出口からドレンが飛散するのを抑制して室内環境の快適性を損なわないようにする。【解決手段】空気調和機の室内機は、筐体と、熱交換器２と、この熱交換器で発生するドレンを受けるドレンパン１と、吸込口と、吸込口から空気を吸い込んで前記熱交換器に送風する送風機と、吹出口とを備えている。前記ドレンパンには熱交換器の下部を収容すると共に該熱交換器で発生するドレンを受ける凹形状のドレン溝１Ａが形成されており、前記ドレン溝は、熱交換器の出口側に対向するように設けられた側壁１ａと、熱交換器の入口側に対向するように設けられた側壁１ｂにより形成されており、熱交換器の出口側に対向するように設けられた前記側壁の内側の部分には、上下方向の縦溝１ｃが、ドレン溝の長手方向に複数個形成されている。【選択図】図５
2014005976.tif 000002
【特許請求の範囲】
【請求項１】
筐体と、該筐体内部に設けられた熱交換器と、この熱交換器で発生するドレンを受けるドレンパンと、前記筐体内部に空気を吸い込むための吸込口と、該吸込口から空気を吸い込んで前記熱交換器に対して送風する送風機と、前記熱交換器で熱交換された空気を吹き出すための吹出口とを備えた空気調和機の室内機であって、
前記ドレンパンには前記熱交換器の下部を収容すると共に該熱交換器で発生するドレンを受ける凹形状のドレン溝が形成されており、
前記ドレン溝は、前記熱交換器の出口側に対向するように設けられた側壁と、前記熱交換器の入口側に対向するように設けられた側壁により形成されており、
前記熱交換器の出口側に対向するように設けられた前記側壁の内側の部分に、上下方向の縦溝を、前記ドレン溝の長手方向に複数個形成している
ことを特徴とする空気調和機の室内機。
【請求項２】
請求項１に記載の空気調和機の室内機において、前記縦溝の溝深さを３〜４ｍｍとしていることを特徴とする空気調和機の室内機。
【請求項３】
請求項２に記載の空気調和機の室内機において、前記熱交換器の出口側に対向する前記ドレン溝の側壁と前記熱交換器との間の最小隙間（最短距離）が３〜４ｍｍとなるように構成されていることを特徴とする空気調和機の室内機。
【請求項４】
請求項３に記載の空気調和機の室内機において、前記熱交換器の出口側に対向するように設けられた前記側壁の厚さを６〜７ｍｍとしていることを特徴とする空気調和機の室内機。
【請求項５】
請求項４に記載の空気調和機の室内機において、前記縦溝の溝幅を３〜５ｍｍとしていることを特徴とする空気調和機の室内機。
【請求項６】
請求項５に記載の空気調和機の室内機において、隣接する前記縦溝の間の寸法を２〜３ｍｍとしていることを特徴とする空気調和機の室内機。
【請求項７】
請求項１に記載の空気調和機の室内機において、前記縦溝は、前記側壁の上縁の部分から前記ドレン溝の底部までの上下方向に形成されていることを特徴とする空気調和機の室内機。
【請求項８】
請求項１に記載の空気調和機の室内機において、前記縦溝は、前記ドレン溝側壁の上縁側から下方向へ１０〜２０ｍｍの長さに形成されていることを特徴とする空気調和機の室内機。
【請求項９】
請求項１〜８の何れかに記載の空気調和機の室内機において、前記縦溝の断面形状は略半円形に構成されていることを特徴とする空気調和機の室内機。
【請求項１０】
請求項１〜８の何れかに記載の空気調和機の室内機において、前記縦溝の断面形状は四角形或いはこれに類似する形状に構成されていることを特徴とする空気調和機の室内機。
【請求項１１】
請求項１〜８の何れかに記載の空気調和機の室内機において、前記ドレンパンの内側に親水性のコーティングをしていることを特徴とする空気調和機の室内機。
【発明の詳細な説明】
【技術分野】
【０００１】
本発明は、熱交換器から発生するドレンを受けるドレンパンを備えている空気調和機の室内機に関する。
【背景技術】
【０００２】
この種従来技術としては、特開２００８−２０２８６０号公報（特許文献１）に記載されたものなどがある。この特許文献１のものには、室内熱交換器と、室内空気を吸い込み室内熱交換器を介して室内へ吹き出す室内ファン（送風機）と、室内熱交換器で凝縮生成されるドレン水を受けるドレン溝が形成された露受け皿（ドレンパン）と、これらを収容する筐体で構成された空気調和機の室内機が記載されている。
【０００３】
また、この特許文献１のものには、前記ドレン溝の内壁面及び前記筐体の内壁面の少なくとも一方に、抗菌、防水、耐熱、剛性及び防音の少なくとも１の成分を含有してなる水溶性アクリル樹脂塗料を吹き付け塗装して、塗装面に凹凸を形成する。これにより表面における水滴の親水性を高めて水滴の滴下を抑制すると共に、抗菌などの作用を増大させて悪臭を抑制することが記載されている。
【先行技術文献】
【特許文献】
【０００４】
【特許文献１】特開２００８−２０２８６０号公報
【発明の概要】
【発明が解決しようとする課題】
【０００５】
上記特許文献１に記載されているような業務用の空気調和機の室内機の場合、製品本体を室内の天井に収納する形態が主流である。このような空気調和機においては、省エネ化のため、より性能の高い製品が求められている。空気調和機の性能を上げるためには、室内機の送風機の風量を大幅に上げる必要がある。
【０００６】
従来の空気調和機の室内機において、送風機の風量を大幅に上げると、熱交換器で発生したドレンが、風に煽られて直接ドレンパンの縁に溜まり、前記送風機によりドレンが吹き飛ばされてしまう。このため、前記室内機の吹出口から、空調空気共に水滴が室内に吹き出されて飛散し、快適性が損なわれることが懸念される。前記吹出口から水滴が吹出されないようにするには、送風機の風量を小さくすれば良いが、このような対策を講じたのでは空気調和機の性能を向上させることができない。
【０００７】
上記特許文献１のものでは、空気調和機の室内機において、熱交換器で発生するドレンを溜めるドレンパン内側（ドレン溝）に水溶性アクリル塗料を吹き付けて塗装することにより、塗装面に凹凸を形成して親水性を高めて水滴滴下を抑制するようにしている。
【０００８】
しかし、上記特許文献１のものには、送風機の風量増加により、ドレンが吹き飛ばされてしまい、前記室内機の吹出口から、空調空気共に水滴が室内に吹き出されてしまうことに関しての配慮は為されていない。このため、特許文献１のものでは、送風機の風量が増加した場合に、室内機の吹出口から、水滴が室内に吹き出されてしまうことを回避できない課題がある。
【０００９】
本発明の目的は、送風機の風量を増加させた場合でも吹出口からドレンが飛散するのを抑制して室内環境の快適性を損なわない空気調和機の室内機を得ることにある。
【課題を解決するための手段】
【００１０】
上記課題を解決するために、本発明は、筐体と、該筐体内部に設けられた熱交換器と、この熱交換器で発生するドレンを受けるドレンパンと、前記筐体内部に空気を吸い込むための吸込口と、該吸込口から空気を吸い込んで前記熱交換器に対して送風する送風機と、前記熱交換器で熱交換された空気を吹き出すための吹出口とを備えた空気調和機の室内機であって、前記ドレンパンには前記熱交換器の下部を収容すると共に該熱交換器で発生するドレンを受ける凹形状のドレン溝が形成されており、前記ドレン溝は、前記熱交換器の出口側に対向するように設けられた側壁と、前記熱交換器の入口側に対向するように設けられた側壁により形成されており、前記熱交換器の出口側に対向するように設けられた前記側壁の内側の部分に、上下方向の縦溝を、前記ドレン溝の長手方向に複数個形成していることを特徴とする。
【発明の効果】
【００１１】
本発明によれば、送風機の風量を増加させた場合でも吹出口からドレンが飛散するのを抑制して室内環境の快適性を損なわない空気調和機の室内機を得ることができる効果が得られる。
【図面の簡単な説明】
【００１２】
【図１】本発明の空気調和機の室内機の実施例１を示す縦断面図。
【図２】図１に示す熱交換器とドレンパンの組立前状態を説明する斜視図。
【図３】図１に示す熱交換器とドレンパンの配置関係を説明する平面図。
【図４】図３のＡ部拡大図。
【図５】図４のＢ−Ｂ断面図。
【図６】図４に示す縦溝の他の例を説明する図で、図４に相当する図。
【図７】本発明の実施例２を説明する図で、図５に相当する図。
【図８】本発明の実施例３を説明する図で、図４に相当する図。
【図９】図８のＣ−Ｃ断面図。
【図１０】従来の空気調和機の室内機を説明する図で図４に相当する図。
【図１１】図１０のＤ−Ｄ断面図。
【発明を実施するための形態】
【００１３】
以下、本発明の具体的実施例を図面に基づいて説明する。
【実施例１】
【００１４】
本発明の空気調和機の室内機の実施例１を図１〜図６により説明する。これらの図において、同一符号を付した部分は同一或いは相当する部分を示している。  
図１は本発明の空気調和機の室内機の実施例１を示す縦断面図、図２は図１に示す熱交換器とドレンパンの組立前状態を説明する斜視図である。
【００１５】
図１に示す空気調和機の室内機は、室内の天井に収納するように取付けられている、一般に天井カセット型と呼ばれている、四方向吹出し型の室内機である。本実施例では、この天井カセット型の室内機に本発明を適用した場合の例を説明する。なお、前記室内機は、圧縮機や室外熱交換器などを備える室外機と冷媒配管により接続されて空気調和機を構成している。
【００１６】
この天井カセット型の室内機は、図１に示すように、室内機本体１０が室内の天井面２０に埋め込んで設置されており、その筐体３０が前記天井面２０より更に上部の天井裏部分（図示せず）から吊ボルト（図示せず）により吊り下げられている。また、前記室内機には、前路筐体３０の内部に設けられた熱交換器２、この熱交換器２で発生するドレンを受けて保水するドレンパン１、前記筐体３０内部に空気を吸い込むための吸込口３、この吸込口３に設けられた吸込グリル４、前記吸込口３から空気を吸い込んで前記熱交換器２に対して送風する送風機（本例ではターボファン）５、該送風機５を駆動するためのファンモータ６、前記熱交換器２で熱交換された空気を吹き出すための吹出口７、この吹出口７に設けられた吹出ガイド８と吹出方向を変える風向ルーバ９、及び前記筐体３０の下面開口を覆うように設けられ前記天井面２０とほぼ同じ高さになるように設置された化粧パネル１１などが備えられている。
【００１７】
前記化粧パネル１１は室内機の下面を構成するもので、前記筐体３０にパッキン１２を介して取り付けられており、このパッキン１２により、前記吸込口３側と前記吹出口７側との間、及び前記筐体３０の内部と外部をシールしている。また、前記化粧パネル１１には、前記吸込口３や前記吹出口７が形成され、また前記吸込グリル４、吹出ガイド８及び前記風向ルーバ９などが取り付けられている。
【００１８】
前記筐体３０は、その内側に発泡ケース３１が内張りされ、この筐体３０の天板３０ａの中央に、前記送風機５と前記ファンモータ６が設置されている。前記送風機５の吹出側の周囲には前記ドレンパン１と前記熱交換器２が配設されており、該熱交換器２の下部に前記ドレンパン１が配置されている。このドレンパン１は、前記熱交換器２で熱交換された空気を吹出すための前記吹出口７の一部を形成する壁面となっており、また熱交換器２で発生するドレンを受け、保水する役割を果たす。即ち、前記ドレンパン１には前記熱交換器２の下部を収容すると共に該熱交換器２で発生するドレンを受ける凹形状のドレン溝１Ａが形成されている。
【００１９】
なお、１３は空気調和機を制御するための制御盤などを収容している電気箱である。また、矢印Ｆは、前記送風機５が駆動されることにより発生する空気の流れを示している。室内空間の空気は、空気の流れＦで示すように、化粧パネル１１に設けられている吸込口３及び吸込グリル４を介して前記送風機５に吸い込まれ、該送風機５の羽根車５ａで昇圧されて径方向に吹き出され、前記熱交換器２を通過した後、前記吹出口７から室内に吹き出されるという経路をたどる。室内空気は前記熱交換器２を通過する際に該熱交換器２の冷媒配管内を流れる冷媒と熱交換して冷却される。この熱交換の際に熱交換器２ではドレンが発生する。
【００２０】
次に、図２により、前記ドレンパン１と前記熱交換器２との配置関係を説明する。図２は図１に示す熱交換器とドレンパンの組立前状態を説明する斜視図で、熱交換器２とドレンパン１の組立前の配置を示している。前記ドレンパン１は前記ドレン溝１Ａが周方向に形成されており、このドレンパン１を前記筐体３０の下面開口から該筐体３０内に嵌め込むことにより、筐体３０内に予め設置されている前記熱交換器２の下部が前記ドレン溝１Ａ内に収まるように、ドレンパン１は前記筐体３０内に取付けられる。  
なお、前記ドレンパン１には、前記ドレン溝１Ａを形成するために、前記熱交換器２の出口側に対向するように設けられた側壁（凸部）１ａと、前記熱交換器２の入口側に対向するように設けられた側壁（凸部）１ｂを有している。
【００２１】
図２に示す前記ドレンパン１を前記熱交換器２の下部に設置した状態を図３に示す。またこの図３は、図１に示したドレンパン１と熱交換器２の配置関係を示す平面図でもある。図３に示すように、ドレンパン１には周方向のドレン溝１Ａが形成されており、この周方向のドレン溝１Ａ内には、図１に示すように、前記熱交換器２の下部が収容されるように設置されている。
【００２２】
ここで、本実施例の構成をわかり易くするため、まず従来の室内機におけるドレンパン１の構成と、熱交換器２との配置関係を図１０及び図１１を用いて説明する。即ち、図１０は従来の空気調和機の室内機を説明する図で、熱交換器とドレンパンの配置関係を説明する要部の平面図である。また、この図１０は、本実施例における上記図３のＡ部の拡大図に相当する図（後述する図４に相当する図）で、更に図１１は図１０のＤ−Ｄ断面図であり、前記図１〜図３と同一符号を付した部分は同一或いは相当する部分を示している。
【００２３】
従来の空気調和機の室内機における熱交換器２は、図１０及び図１１に示すように、その下部がドレンパン１のドレン溝１Ａ内に収容されるように構成されている。また、１４は、前記熱交換器２の下面と前記ドレン溝１Ａの底部との間をシールするパッキンで、前記送風機５から吹き出された空気が熱交換器５を通過することなく前記吹出口７側に流れるのを防止するためのものである。
【００２４】
前記ドレンパン１のドレン溝１Ａを形成している側壁（凸部）１ａ，１ｂのうち、特に熱交換器２出口側の前記側壁１ａの上縁１ａ´と、前記熱交換器２との隙間は、通常は十分な大きさ（例えば６ｍｍ程度）になるように設計されるが、製造誤差や組立誤差のため、狭い部分では、例えば２〜３ｍｍ程度の隙間しかない部分が発生し易い。一方、熱交換器で発生するドレンの水滴は、大きいものでは３ｍｍ程度になる。
【００２５】
このため、性能向上のため送風機５の風量を上げる（ドレン溝１Ａ内に収容されている熱交換器２下部の風速が、６ｍ／ｓ以上となる風量）と、熱交換器２で発生するドレンの水滴が吹出空気に飛ばされ、熱交換器２の出口側とドレンパン１のドレン溝側壁上縁（凸部）１ａ´との間で前記水滴が繋がり、更に吹出空気に煽られることで、ドレンが前記ドレン溝側壁上縁１ａ´側へ移動する。従って、その後は熱交換器２で発生するドレンが直接ドレンパン１のドレン溝側壁上縁１ａ´付近に溜まり易くなる。このため、発生したドレンの一部が前記ドレンパン１に流れ込まず、前記吹出口７から吹出空気と共に吹き出されて飛散し水滴が落下、即ちドレンが水飛びする虞があり、室内環境の快適性を損なってしまう。
【００２６】
ドレンの飛散を防止するためには、熱交換器２とドレンパン１のドレン溝側壁１ａの上縁１ａ´の隙間を十分に大きくすることが考えられるが、前記隙間を大きくすると、ドレンパン自身が大型化し、これによって空気調和機の室内機全体が大型化して、コストアップするなどの問題が生じる。
【００２７】
また、ドレンパン１の肉厚を十分に薄くすることで、前記隙間をより大きくし、室内機全体の大型化も抑制することが考えられるが、ドレンパン１を薄肉化するとドレンパン１の断熱性が低下し、該ドレンパン１の外側に水滴が発生してこれが室内に落下する虞がある。  
更に、前記送風機５の風量を下げれば、ドレンは室内に吹き飛ばされず落下もしないが、この場合、空気調和機の性能を向上させることはできない。
【００２８】
従って、室内機の大型化を抑制しつつ、前記送風機５の風量も下げずに、前記吹出口７からのドレンの落下を抑制する必要がある。このためには、送風機５の風量を上げても、熱交換器２で発生したドレンを確実にドレンパン１に誘導できるようにして、前記吹出口７からのドレンの落下を抑えることが必要である。
【００２９】
そこで本実施例では、送風機５の風量を上げても、熱交換器２で発生したドレンを確実にドレンパン１に誘導できるようにするため、図４及び図５に示すように構成している。図４は図３のＡ部拡大図であり、図５は図４のＢ−Ｂ断面図である。
【００３０】
即ち、本実施例においては、これら図４及び図５に示すように、ドレンパン１のドレン溝１Ａを形成している側壁１ａ，１ｂのうち、熱交換器２の出口側（吹出口側）に対向する前記側壁１ａの内側の部分に、上下方向の縦溝１ｃを、ドレン溝１Ａの長手方向に複数個形成しているものである。この縦溝１ｃの形状は、図４に示すように、その断面形状が略半円形に構成されている。また、この断面が略半円形状の縦溝１ｃは、図５に示すように、前記側壁１ａの上縁１ａ´の部分から前記ドレン溝１Ａの底部までの上下方向に形成されている。なお、１４は図１１で説明したパッキン１４と同様のものである。
【００３１】
このように構成することにより、前記熱交換器２と前記側壁１ａとの隙間は、前記縦溝１ｃを形成している部分では溝深さｄの寸法分だけ広くなる。従って、この縦溝１ｃが形成されている部分にはドレンの水滴が溜まるのを防止できる。
【００３２】
なお、図４に示すｂは前記側壁１ｃの厚さ、ｃは隣接する前記縦溝１ｃ間（間隔）の寸法、ｄは前記縦溝１ｃの深さ、ｅは前記縦溝１ｃの幅であり、更にａは、図５にも示すように、熱交換器２の下端出口側と前記側壁１ｃとの水平方向の寸法である。また、前記縦溝１ｃが形成されるドレンパン１の部分は、図３にＥで示す範囲であり、ドレンパン１の側壁１ａと熱交換器２との間の隙間が小さくなっている部分の範囲Ｅに前記縦溝１ｃを形成するようにしている。
【００３３】
上述した寸法ａ〜ｅは、好ましくは次のようにすると良い。即ち、前記側壁１ａの厚さである前記寸法ｂは６〜７ｍｍ、隣接する前記縦溝１ｃ間の寸法ｃを２〜３ｍｍ、前記縦溝１ｃの深さである前記寸法ｄは３〜４ｍｍ、前記縦溝１ｃの幅である前記寸法ｅを３〜５ｍｍ（好ましくは略４ｍｍ）程度とするのが望ましい。また、側壁１ａと熱交換器２との隙間である前記寸法ａは５〜７ｍｍとするのが望ましい。但し、前記寸法ａについては、図３に示すように、ドレン溝１Ａの周方向に範囲Ｅで示すように広い範囲に亘っており、しかもドレンパン１と熱交換器２とは別部品を組み合わせて組み立てているため、製作誤差や組立誤差が生じる。このため、周方向においては、前記寸法aが、広い隙間となる部分や狭い隙間となる部分が生じる。本実施例ではこの寸法ａの平均値を５〜７ｍｍとしているが、組立誤差などを考慮した場合には最小隙間（最短距離）となる部分の寸法ａは３〜４ｍｍ（好ましくは略３ｍｍ）程度になるように構成することが好ましい。
【００３４】
このように構成することにより、前記側壁１ａと前記熱交換器２との間の隙間（寸法ａ）は最低でも３ｍｍとなり、前記縦溝１ｃが形成されている部分では最低でも６ｍｍ（ａ（＝３〜４ｍｍ）＋ｄ（＝３〜４ｍｍ）≧６ｍｍ）となる。ドレンの水滴は大きなものでも３ｍｍ程度であるから、前記側壁１ａと熱交換器２との間で水滴が繋がるのを防止できる。
【００３５】
前記縦溝１ｃが形成されていない部分の前記側壁１ａ（縦溝１ｃ間の部分）と熱交換器２との隙間ａは、前記縦溝１ｃが形成されている部分よりも小さな隙間となるが、この隙間ａは最も小さいところでも水滴以上の大きさの３ｍｍ以上を確保しているので、この部分でも水滴は繋がり難い。仮に、ドレンの水滴が繋がった場合でも、そのドレンは、隣接する前記縦溝１ｃに誘導されてドレン溝１Ａの底部へと容易に排出されるから、側壁上縁１ａ´にドレンが溜まるのを抑制できる。
【００３６】
従って、前記送風機５の風量を上げても、熱交換器２で発生したドレンを確実にドレンパン１に誘導することができる。これにより、前記吹出口７から吹出空気と共にドレンが飛散して室内に落下するのを抑制でき、室内環境の快適性が損なわれない空気調和機の室内機を得ることができる。
【００３７】
以上述べたように、ドレンパン１に上下方向の縦溝１ｃを設けることにより、熱交換器２とドレンパン１の側壁１ａとの隙間を十分に確保できるから、送風機５の風量を増大しても、熱交換器２で発生したドレンの水滴が吹出空気に飛ばされて熱交換器２とドレンパン１との間で前記水滴が繋がるのを防止できる。また、前記側壁１ａに吹き飛ばされて付着したドレンの水滴は前記縦溝１ｃにより、前記ドレン溝１Ａの底部側へと誘導されるので、前記吹出口７からドレンが吹き飛ばされて室内に落下するのを抑制することができる。
【００３８】
なお、上記図４では、前記縦溝１ｃの断面形状を略半円形（半円形やこれに類似する形状も含む）に構成している例を示したが、前記縦溝１ｃの断面形状は図４に示したような略半円形状には限られず、例えば図６に示すように、前記縦溝１ｃの断面形状を四角形にしたり、或いはこれに類似する形状にしても良い。縦溝１ｃの断面形状を、図６に示すような四角形とした場合、溝深さｄ及び溝幅ｅを、略半円形にした場合と同じにしても、縦溝１ｃの断面積は大きくなる。このため、前記側壁１ａに付着したドレンを、ドレンパン１のドレン溝１Ａの底部に流し易くなる効果がある。図６において、他の構成は図１〜図５に示したものと同様である。
【００３９】
一方、前記縦溝１ｃを、図４に示すような略半円形とした場合には、該縦溝１ｃの断面積が小さくなるため、前記側壁１ａの厚さが薄くなる部分を、図５に示した四角形とした場合より少なくでき、この結果、縦溝１ｃを設けたことによる断熱性能低下を抑制することができる。
【００４０】
以上述べたように、本実施例１によれば、ドレンパン１のドレン溝（凹部）１Ａを形成している側壁１ａの内側に、上下方向の縦溝１ｃを設ける構成としているので、前記側壁１ａと熱交換器２との間の隙間を広げることができる。従って、熱交換器２で発生したドレンがドレンパン１の前記側壁上縁１ａ´付近に溜まるのを抑制でき、熱交換器２で発生したドレンのほぼ全てをドレンパン１のドレン溝１Ａに流すことができる。これにより、室内機の吹出口７からドレンが吹出空気と共に吹き出されて飛散し、室内に落下するのを抑制でき、室内環境の快適性が損なわれない空気調和機を得ることができる。
【実施例２】
【００４１】
本発明の空気調和機の室内機の実施例２を、図７を用いて説明する。この図７は上記実施例１の図５に相当する図であり、図５と同一符号を付した部分は同一或いは相当する部分を示している。
【００４２】
図７に示すように、本実施例２は、ドレンパン１のドレン溝１Ａを形成している側壁１ａ，１ｂのうち、熱交換器２の出口側（吹出口側）に対向する側壁１ａ内側の上縁１ａ´側にのみ縦溝１ｃを設けるようにしたものである。この縦溝１ｃの上縁１ａ´側からの上下方向の長さである寸法ｆは、１０〜３０ｍｍ、或いは前記側壁１ａの高さの３０〜６０％程度とするのが良く、より好ましくは２０ｍｍ或いは側壁高さの５０％程度とすると良い。
【００４３】
なお、この実施例２において、他の構成は上記実施例１と同様である。  
このように本実施例によれば、前記縦溝１ｃをドレンパン１のドレン溝側壁１ａの上縁側にだけ設けるようにしたので、上記実施例１と同様の効果が得られる上に、ドレンパン１の断熱性能や強度の低下を抑えることができる効果も得られる。
【実施例３】
【００４４】
本発明の空気調和機の室内機の実施例３を、図８及び図９を用いて説明する。図８は上記実施例１の図４に相当する図であり、図９は図８のＣ−Ｃ断面図である。これらの図において、図４、図５と同一符号を付した部分は同一或いは相当する部分を示している。
【００４５】
図８及び図９に示すように、本実施例３は、ドレンパン１の全体に亘って親水性材料１ｄをコーティングしたものである。前記コーティングする親水性材料としては、例えば酸化チタン（ＴｉＯ２）などがある。その他の構成は上記実施例１と同様である。
【００４６】
本実施例３によれば、前記親水性材料１ｄのコーティングにより、ドレンパン１のドレン溝１Ａを形成している側壁１ａ上縁１ａ´付近にドレンが溜まり難くなり、室内機の吹出口７からドレンが吹出空気と共に吹き出されて飛散（ドレンの水飛び）するのを更に低減できる。従って、ドレンの室内への落下を更に抑制でき、室内環境の快適性をより向上できる効果が得られる。
【符号の説明】
【００４７】
１：ドレンパン、１Ａ：ドレン溝、
１ａ，１ｂ：ドレン溝の側壁、１ａ´：側壁１ａの上縁、
１ｃ：縦溝、１ｄ：親水性材料、
２：熱交換器、３：吹出口、４：吸込グリル、
５：送風機、５ａ：羽根車、６：ファンモータ、
７：吹出口、８：吹出ガイド、９：風向ルーバ、
１０：室内機本体、１１：化粧パネル、
１２，１４：パッキン、１３：電気箱、
２０：天井面、
３０：筐体、３０ａ：天板、３１：発泡ケース、
Ｅ：溝部の範囲、Ｆ：空気の流れ。
【図１】
2014005976.tif 000003
【図２】
2014005976.tif 000004
【図３】
2014005976.tif 000005
【図４】
2014005976.tif 000006
【図５】
2014005976.tif 000007
【図６】
2014005976.tif 000008
【図７】
2014005976.tif 000009
【図８】
2014005976.tif 000010
【図９】
2014005976.tif 000011
【図１０】
2014005976.tif 000012
【図１１】
2014005976.tif 000013